(57)【要約】【課題】    並列に起立配置された円体物の転倒、不用意な移動を防止する荷崩れ防止シートが一人で巻き付けできるようにする。【解決手段】  円柱状あるいは円筒状の円体物（２−１〜２−４）が並列に起立配置された円体物ユニット（２）を取り巻く帯び状の巻きシート（４）を設け、前記巻きシート（４）の少なくとも長手方向一端部に、前記円体物（２−１〜２−４）に着脱可能に付着する付着体（５）を設け、前記巻きシート（４）の長手方向両端部を引き寄せる連結具（６）を設ける。また、前記付着体（５）はマグネットラバーとする。【選択図】    図１
0003146070.tif 000002
【実用新案登録請求の範囲】
【請求項１】
円柱状あるいは円筒状の円体物（２−１〜２−４）が並列に起立配置された円体物ユニット（２）を取り巻く帯び状の巻きシート（４）を設け、前記巻きシート（４）の少なくとも長手方向一端部に、前記円体物（２−１〜２−４）に着脱可能に付着する付着体（５）を設け、前記巻きシート（４）の長手方向両端部を引き寄せる連結具（６）を設けたことを特徴とする荷崩れ防止シート。
【請求項２】
付着体（５）はマグネットラバーとしたことを特徴とする請求項１記載の荷崩れ防止シート。
【請求項３】
巻きシート（４）の上縁部に沿って延出するとともに、両端が前記上縁部の長手方向中途に連結される掛け紐（７）を設けたことを特徴とする請求項１又は２記載の荷崩れ防止シート。
【請求項４】
所定の円体物（２−２，２−４）に接する巻きシート（４）の長手方向中途の上縁部に、前記所定の円体物（２−２，２−４）を巻き締めする締めベルト（８−１，８−２）を設けたことを特徴とする請求項１又は２記載の荷崩れ防止シート。
【考案の詳細な説明】
【技術分野】
【０００１】
本考案は、円柱状あるいは円筒状の円体物がパレットあるいはトラック等に並列に起立配置された際に、各円体物が不用意に転倒したり、移動したりするのを防止する荷崩れ防止シートに関するものである。
【背景技術】
【０００２】
従来の技術として、特許文献１があった。即ち、立方体状あるいは直方体状の方形物が積み重ねられた方形物ユニットの周囲を包囲する帯び状の巻きシートを設け、前記巻きシートの長手方向一端部の上縁部に、前記方形物ユニットの１つの角部上面に対面する直角三角形状の角部係止具を固着し、前記巻きシートの上縁部に、前記方形物ユニットの他の角部の上面を対角状に横断する角部掛け紐を連結し、前記巻きシートの両端を連結する連結具を設けるようにしたものがあった。
【０００３】
前記従来のものは、方形物ユニットの角部上面に角部係止具、および角部掛け紐を順次掛けることによって、方形物ユニットの周囲に荷崩れ防止シートを一人で容易に巻き付けることができる。しかしながら、ドラム缶のような円体物が並列に起立配置された円体物ユニットにおいては、角部が存在しないため、前記従来の荷崩れ防止シートでは一人で巻き付けることができないものであった。
【特許文献１】特開２００２−２１１５６６号報
【考案の開示】
【考案が解決しようとする課題】
【０００４】
本考案は、角部が存在しない円体物ユニットを一人の作業者が容易に巻き付けできる新規な荷崩れ防止シートを得ることを目的とする。
【課題を解決するための手段】
【０００５】
本考案は、前記目的を達成するために以下の如く構成したものである。即ち、請求項１に係る考案は、円柱状あるいは円筒状の円体物が並列に起立配置された円体物ユニットを取り巻く帯び状の巻きシートを設け、前記巻きシートの少なくとも長手方向一端部に、前記円体物に着脱可能に付着する付着体を設け、前記巻きシートの長手方向両端部を引き寄せる連結具を設ける構成にしたものである。
請求項２に係る考案は、前記付着体をマグネットラバーとしたものである。
請求項３に係る考案は、前記巻きシートの上縁部に沿って延出するとともに、両端が前記上縁部の長手方向中途に連結される掛け紐を設けたものである。
請求項４に係る考案は、所定の円体物に接する巻きシートの長手方向中途の上縁部に、前記所定の円体物を巻き締めする締めベルトを設けたものである。
【考案の効果】
【０００６】
請求項１に係る考案は、巻きシートの長手方向一端部に設けた付着体を所定の円体物に付着させると、巻きシートの長手方向一端部が前記所定の円体物に固定されることになる。これにより、前記巻きシートを一人で円体物ユニットの外周に巻き付けることができるとともに、連結具により前記巻きシートの長手方向両端部を引き寄せることができる。そして、前記巻きシートによって取り巻かれた各円体物は、運搬時の振動、あるいは地震等によって不用意に転倒したり、移動したりしなくなる。
【０００７】
請求項２に係る考案は、前記付着体をマグネットラバーとしたので、ドラム缶のような鉄製（磁性体）の円体物に強固に付着（吸着）することになる。
【０００８】
請求項３に係る考案は、掛け紐を所定の円体物の上面に掛けると、巻きシートの上縁部の長手方向中途が前記円体物に支持されて垂下しなくなり、各円体物を安定して取り巻くことになる。
請求項４に係る考案は、締めベルトを所定の円体物に巻き締めすると、巻きシートの上縁部の長手方向中途が前記円体物に支持されて垂下しなくなり、各円体物を安定して取り巻くことになる。
【考案を実施するための最良の形態】
【０００９】
以下本考案の実施例を図面に基づいて説明する。図において、図１は本考案の第１実施例の使用状態を示す斜視図、図２は本考案の第１実施例による荷崩れ防止シートの正面図、図３は本考案の第２実施例の使用状態を示す斜視図、図４は本考案の第３実施例による荷崩れ防止シートの正面図である。
【００１０】
図１において、１は正方形状のパレットであり、上下板１ａ，１ｂ間にフォークリフトの爪が嵌合できる差込み間隙１ｃを有する。前記パレット１の上面に円体物ユニット２を載置する。該円体物ユニット２は、本例では、４個の鉄製のドラム缶からなる円体物２−１〜２−４を並列に起立載置してなる。各円体物２−１〜２−４は、外周の上下（軸方向）２箇所にリング状の凸条２ａ，２ｂが形成されている。
【００１１】
前記円体物ユニット２を荷崩れ防止シート３により巻き締めする。該荷崩れ防止巻きシート３は、図２に示すように、左右方向に長い広幅な帯状の巻きシート４の右端部、及び長手方向中間部の２カ所に付着体５（５ａ，５ｂ，５ｃ）を一体的に固着又は逢着し、左右両端部に連結具６を取付けてなる。
【００１２】
前記巻きシート４は布製とし、左右の長さは円体物ユニット２の一周分よりも若干長くし、上下幅は円体物２−１〜２−４の外周に形成された上下の凸条２ａ，２ｂ間に嵌まる幅とする。前記付着体５は、各円体物（ドラム缶）２−１〜２−４に着脱可能に付着するマグネットラバーとし、本例では、第１付着体５ａを第１円体物２−１の外側に対応させ、第２付着体５ｂを第２円体物２−２の外側に対応させ、第３付着体５ｃを第４円体物２−４の外側に対応させ、これらを巻きシート４の上下幅の略全域に延在させる。なお、円体物ユニット２がプラスチック等の非磁性体製の場合は、前記付着体５を粘着シート、あるいは吸盤とする。
【００１３】
前記連結具６は、図２に示すように、巻きシート４の左右両端部の上下２箇所に相対する左右の連結ベルト６ａ，６ｂを逢着し、右部の各連結ベルト６ｂの端部に止め環６ｃを取り付ける。そして、図１に示すように、巻きシート４で円体物ユニット２を取り巻き、左部の連結ベルト６ａを前記止め環６ｃに挿通してその先端部を折り返して引っ張ることにより、連結具６を介して前記巻きシート４の左右端部を引き寄せ、該巻きシート４により円体物ユニット２巻き締めする。この場合、連結ベルト６ａの折り返した先端部を面ファスナーにより該連結ベルト６ａの基部側に係合させて緩み止めを行う。
【００１４】
次に前記実施例の使用態様について説明する。まず、一人の作業者が第１付着体５ａを円体物ユニット２の、例えば図１の右前部に位置する第１円体物２−１の凸条２ａ，２ｂ間に位置する外側面に付着（固着）させる。この状態で、巻きシート４を持って図１において左周りに移動し、該巻きシート４を順次第２円体物２−２、第３円体物２−３、第４円体物２−４の凸条２ａ，２ｂ間に位置する外側に接触させるとともに、第２付着体５ｂを第２円体物２−２の外側に付着させ、第３付着体５ｃを第４円体物２−４の外側に付着させる。
【００１５】
次いで、図１に示すように、左部の連結ベルト６ａを止め環６ｃに挿通してその先端部を折り返して引っ張り、前記巻きシート４の左右端部を引き寄せる。これにより、円体物ユニット２を巻きシート４により巻き締めし、各円体物２−１〜２−４を互いに当接させて一体化する。
【００１６】
ここで、前記円体物２−１〜２−４に凸条２ａ，２ｂが存在しない場合は、巻きシート４を各円体物２−１〜２−４の長さに略対応する上下幅とし、図２の仮想線で示すように、掛け紐７を巻きシート４の長手方向中間部の上縁部に沿って延長させ、その左右両端部を巻きシート４の上縁部に逢着する。そして、図３に示すように、巻きシート４で円体物ユニット２を取り巻いた際に、前記掛け紐７を円体物ユニット２の上面に対角線状に掛け、これにより、巻きシート４の長手方向中途が下方に垂れ下がるのを防止する。
【００１７】
また、図４に示すように、巻きシート４の上縁部の長手方向中途の２カ所、即ち、第２円体物２−２と第４円体物２−４とに対応する２カ所に締めベルト８（第１締めベルト８−１、第２締めベルト８−２）を取り付ける。第１、第２締めベルト８−１，８−２は、左右一対のベルト主体８ａ，８ｂを巻きシート４−１の上縁部の長手方向中途の２カ所にそれぞれ接近させて連結し、一方のベルト主体８ａ（または８ｂ）の端部に止め環８ｃを取り付ける。そして、巻きシート４で円体物ユニット２を取り巻いた際に、前記第１締めベルト８−１を第２円体物２−２に巻き付け、第２締めベルト８−２を第４円体物２−４に巻き付けて巻きシート４−１の上縁部の長手方向中途の２カ所を前記第２円体物２−２、および第４円体物２−４に係止する。
【図面の簡単な説明】
【００１８】
【図１】本考案の第１実施例の使用状態を示す斜視図である。
【図２】本考案の第１実施例による荷崩れ防止シートの正面図である。
【図３】本考案の第２実施例の使用状態を示す斜視図である。
【図４】本考案の第３実施例による荷崩れ防止シートの正面図である。
【符号の説明】
【００１９】
１    パレット
１ａ、１ｂ    上下板
１ｃ  差し込み間隙
２    円体物
３    荷崩れ防止シート
４    巻きシート
５（５ａ，５ｂ，５ｃ）  付着体５
６    連結具
７    掛け紐
８（８−１，８−２）    締めベルト
【図１】
0003146070.tif 000003
【図２】
0003146070.tif 000004
【図３】
0003146070.tif 000005
【図４】
0003146070.tif 000006